(57)【要約】【課題】  地熱利用の空調装置において、埋設エアー管路１を蛇行状に形成し、熱交換を促進させると共に、各蛇行部分に溜まる結露水を円滑に外部に排除できる装置および埋設エアー管路１の内部洗浄が容易な装置の提供。【解決手段】  埋設エアー管路１を蛇行状に地中に埋設し、埋設エアー管路１の各蛇行部分の水勾配の下端に夫々ドレン管２を連通する。そして、ドレン管２の水溜部またはそれに連通する水溜部３に排水管４を設ける。【選択図】        図１
2006112689.tif 000002
【特許請求の範囲】
【請求項１】
地中に蛇行状に埋設した埋設エアー管路(1) と、
その埋設エアー管路(1) の各蛇行部分の水勾配の下端に夫々連通するドレン管(2) と、  ドレン管(2) の水溜部またはそれに連通する水溜部(3) に連通した排水管(4) と、
埋設エアー管路(1) 内に室内のエアーを導き、次いでそれを室内に供給するエアー供給装置(5) と、を具備し、
前記水溜部(3) のドレン水が前記排水管(4) を介して外部に排出されるように構成された地熱利用空調装置。
【請求項２】
請求項１において、
前記埋設エアー管路(1) が重力方向に蛇行するように配置され、各蛇行部分の下端に小孔(1c)を介してドレン管(2) が連通された地熱利用空調装置。
【請求項３】
請求項１において、
前記埋設エアー管路(1) を重力方向に交差すると共に、水勾配を設けて蛇行するように配置し、各蛇行部分の下端に小孔(1c)を介してドレン管(2) が連通された地熱利用空調装置。
【請求項４】
請求項１〜請求項３のいずれかにおいて、
前記埋設エアー管路(1) は、複数の直管(1a)とＵ字管(1b)との連結体よりなる地熱利用空調装置。
【請求項５】
請求項１〜請求項３のいずれかにおいて、
前記埋設エアー管路(1) は、一対の並列された接続用直管部(6) と、両接続用直管部(6) に両端が連通した複数の支管部(7) とを有し、前記接続用直管部(6) の適宜位置で内部が閉塞手段(8) により閉塞された地熱利用空調装置。
【請求項６】
請求項５において、
水勾配の下流側に位置する前記接続用直管部(6) が前記ドレン管(2) を兼ね、その接続用直管部(6) の前記閉塞手段(8) の下端位置に小孔(1d)が設けられた地熱利用空調装置。
【請求項７】
請求項１〜請求項６の記載の地熱利用空調装置の内部を洗浄する方法において、
前記埋設エアー管路(1) 内に洗浄液を流入する工程と、前記排水管(4) を介してその洗浄液を排出する工程とを有する地熱利用空調装置の洗浄方法。
【発明の詳細な説明】
【技術分野】
【０００１】
本発明は、地熱を利用して室内の冷暖房を行う空調装置およびその洗浄方法に関する。
【背景技術】
【０００２】
地熱を利用した冷暖房装置として、各種のものが提案されている。
例えば、下記特許文献１の地熱を利用した冷暖房装置は、地中に空気配管を蛇行状に埋設し、その空気配管の下流端を室内に開口すると共に、その上流端を室外に開口し、送気用モータファンの駆動により室外の空気を地中で熱交換させ、それを室内に取り込むものである。
同様の考え方は、下記特許文献２にも記載されている。
【０００３】
【特許文献１】特開昭５７−１８８９４７号公報
【特許文献２】実開昭６３−１２６１５８号公報
【発明の開示】
【発明が解決しようとする課題】
【０００４】
空気配管を地中に蛇行状に埋設した場合には、コンパクトで熱効率の良い空調装置となり得る。しかしながら蛇行状に空気配管を埋設した場合、特に夏季において配管内部に結露が生じ、それが各蛇行管内の低位置に滞留し、カビの発生原因となったり管路を閉塞してしまうおそれもある。また、カビが発生した場合、特に蛇行状に埋設されたエアー管の内部を完全に清掃することができなかった。その理由は、洗浄水が蛇行部分に溜まるからである。
そこで本発明は、係る問題点を取り除き、清潔で永続性の高い地熱利用空調装置およびその洗浄方法を提供することを課題とする。
【課題を解決するための手段】
【０００５】
請求項１に記載の本発明は、地中に蛇行状に埋設した埋設エアー管路(1) と、
その埋設エアー管路(1) の各蛇行部分の水勾配の下端に夫々連通するドレン管(2) と、  ドレン管(2) の水溜部またはそれに連通する水溜部(3) に連通した排水管(4) と、
埋設エアー管路(1) 内に室内のエアーを導き、次いでそれを室内に供給するエアー供給装置(5) と、を具備し、
前記水溜部(3) のドレン水が前記排水管(4) を介して外部に排出されるように構成した地熱利用空調装置である。
【０００６】
請求項２に記載の本発明は、請求項１において、
前記埋設エアー管路(1) を重力方向に蛇行するように配置し、各蛇行部分の下端に小孔(1c)を介してドレン管(2) が連通された地熱利用空調装置である。
請求項３に記載の本発明は、請求項１において、
前記埋設エアー管路(1) を重力方向に交差すると共に、水勾配を設けて蛇行するように配置し、各蛇行部分の下端に小孔(1c)を介してドレン管(2) が連通された地熱利用空調装置である。
請求項４に記載の本発明は、請求項１〜請求項３のいずれかにおいて、
前記埋設エアー管路(1) は、複数の直管(1a)とＵ字管(1b)との連結体よりなる地熱利用空調装置である。
【０００７】
請求項５に記載の本発明は、請求項１〜請求項３のいずれかにおいて、
前記埋設エアー管路(1) は、一対の並列された接続用直管部(6) と、両接続用直管部(6) に両端が連通した複数の支管部(7) とを有し、前記接続用直管部(6) の適宜位置で内部が閉塞手段(8) により閉塞された地熱利用空調装置である。
請求項６に記載の本発明は、請求項５において、
水勾配の下流側に位置する前記接続用直管部(6) が前記ドレン管(2) を兼ね、その接続用直管部(6) の前記閉塞手段(8) の下端位置に小孔(1d)が設けられた地熱利用空調装置である。
【０００８】
請求項７に記載の本発明は、請求項１〜請求項６に記載の地熱利用空調装置の内部を洗浄する方法において、
前記埋設エアー管路(1) 内に洗浄液を流入する工程と、前記排水管(4) を介してその洗浄液を排出する工程とを有する地熱利用空調装置の洗浄方法である。
【発明の効果】
【０００９】
本発明の地熱利用空調装置は、埋設エアー管路１が地中で蛇行状に埋設されているため、省スペースで効率の良い熱交換を行い得る。
しかも、各蛇行部分の水勾配の各下端には夫々ドレン管２が連通し、その水溜部３に排水管４が連通されてドレン水を外部に排出するようにしたから、埋設エアー管路１内の各蛇行部分にドレン水が溜まって閉塞することを確実に防止できる。
さらに、埋設エアー管路１が蛇行状であっても、ドレン管２を利用して内部洗浄が可能となる。即ち、エアー管路１内部を洗浄した洗浄液を各蛇行部分から全てドレン管２を介して、外部に排出できる。
【００１０】
上記構成において、埋設エアー管路１を重力方向に蛇行するように配置し、各蛇行部分の下端に小孔1cを介してドレン管２を連通させた場合には、埋設エアー管路１の埋設のための掘削を縦方向のみ小範囲で行えばよく、埋設エアー管路１の埋設作業を迅速に行い得る。それと共に、ドレン水の排出を円滑に行い得る。
上記構成において、埋設エアー管路１を重力方向に交差させると共に、水勾配を設けて蛇行するように配置した場合には、埋設エアー管路１の埋設のための掘削深さが比較的浅くても、埋設エアー管路の各部と地熱との温度差を略一定とし、効率の良い熱交換を行い得る。
【００１１】
上記構成において、埋設エアー管路１を直管1aとＵ字管1bとの連結体により構成する場合には、埋設エアー管路１の組立てが容易で且つ部品点数が少なくなり、低コストな装置を提供できる。
上記構成において、埋設エアー管路１として一対の並列された接続用直管部６と、それらの間に連通した複数の支管部７とを設け、接続用直管部６の適宜位置を閉塞手段８により閉塞した場合には、埋設エアー管路１全体の構造が単純化し且つ、蛇行状の埋設エアー管路１となる。また、埋設エアー管路１の各部分が相互に補強し合うため、丈夫で強度の強い装置となる。
上記構成において、水勾配の下流側の接続用直管部６がドレン管２を兼ね、その閉塞手段８の下端位置に小孔1dを設けた場合には、さらに構造が単純で低コストな装置を提供できる。
【００１２】
上記装置の内部を洗浄する本発明の方法は、埋設エアー管路１内に洗浄液を流入し、排水管４を利用して、その洗浄液を排出するようにしたから、埋設エアー管路１内の洗浄を迅速に且つ完全に行うことができる。
【発明を実施するための最良の形態】
【００１３】
次に、図面に基づいて本発明の実施の形態につき説明する。
図１は、本発明の第１の実施の形態を示す説明図である。
この例の地熱利用空調装置は、地下16に蛇行状に埋設した埋設エアー管路１を上下方向に形成し、その上流端および下流端を室内11内に連通する。即ち、埋設エアー管路１のエアー入口13が室内11内に位置する。
【００１４】
この例では、埋設エアー管路１に連通するエアー入口13の外周に、入口カバー17が被嵌されている。また、エアー入口13の内部にはフィルタ12が着脱自在に取付けられている。さらに、エアー出口14にはエアー供給装置５が連結され、内部に送風用のファン９が設けられている。そして、そのエアー供給装置５の下流端が室内11内に開口する。
埋設エアー管路１の各蛇行部分の下端は、小孔1cを介してドレン管２に連通する。このドレン管２には水勾配が形成され、その下流端が水溜部３に連通する。そしてこの水溜部３に排水管４の下端が挿入され、その排水管４にポンプ10が設けられ、その排水管４の上端が外部に導かれている。
【００１５】
〔作用〕
エアー供給装置５を駆動することにより、室内11の空気がエアー入口13よりフィルタ12を通過して埋設エアー管路１内に流入し、それが矢印の如く蛇行状に流通する。夏季においては、室温より低温に維持されている地下16と、埋設エアー管路１内の空気とが熱交換され、それが冷風となってエアー出口14からエアー供給装置５を介して室内に吹き出される。そのとき埋設エアー管路１の各蛇行部分の内面には結露が生じ、それらが各小孔1cを介してドレン管２より水溜部３に導かれる。水溜部３には、一例として図示しない液面センサーが設けられ、水溜部３内のドレンが一定レベル以上になるとポンプ10を駆動し、それを外部に排出する。
【００１６】
この例では、各蛇行部分の下端に小孔1cを介してドレン管２が連通しているので、埋設エアー管路１内に付着するドレンを完全且つ確実に回収し、埋設エアー管路１の内部を乾燥状態に維持することができる。それにより、カビの発生を防止すると共に室内空気の湿気を取り、乾燥した空気を室内に送ることができる。
なお、冬季においては埋設エアー管路１内を流通する空気は地下16で温められる。次いで、図示しない加熱装置で、少しそれを加熱すれば適温の温風を室内11内に導くことができる。
【００１７】
次に、図２は本発明の第２の実施の形態を示し、この例が前記第１の実施の形態と異なる点は、埋設エアー管路１の蛇行平面が水平面に対し僅かに水勾配をとって、略水平に地中に埋設されていることである。
なお、この例では埋設エアー管路１はドレン管２側が他の部分よりも低く位置されている。また、埋設エアー管路１は多数の直管1aとＵ字管1bとの結合体からなる。そしてドレン管２側に配置されたＵ字管1bは、夫々小孔1cを介してドレン管２に連通する。ドレン管２は、水溜部３側に傾斜するように水勾配が設けられ、ドレン管２内のドレン水を水溜部３に導く。図１および図２において、埋設エアー管路１を地中に埋設するには、地面を所定深さ掘って埋設エアー管路１を配置し、次いで掘り返した土を埋設エアー管路１上に埋め戻せばよい。
【００１８】
次に、図３は本発明の第３の実施の形態を示し、この例はドレン管２をコ字状に形成し、そのドレン管２上に埋設エアー管路１を配置し、夫々のＵ字管1bとドレン管２とを小孔1cを介して連通したものである。
埋設エアー管路１とドレン管２とを予め地上で組み立てておくことにより、装置の取付け作業を効率的に行うことができる。
なお、地中においてドレン管２は排水管４側が低くなるように配置される。
【００１９】
次に、図４は本発明の第４の実施の形態を示し、その（Ａ）は全体的説明図であり、（Ｂ）は（Ａ）におけるＢ部拡大図である。
この例は、埋設エアー管路１が一対の接続用直管部６と多数の支管部７および閉塞手段８とからなる。一対の接続用直管部６は互いに平行に配置され、定間隔に並列された支管部７の上下両端が接続用直管部６に連通する。一対の接続用直管部６には千鳥状に閉塞手段８が配置され、それにより埋設エアー管路１内を蛇行状の流路としている。閉塞手段８の最下端には、（Ｂ）の如く小孔1dが夫々設けられている。それにより、接続用直管部６内のドレン水を水溜部３に導くものである。
【００２０】
なお、接続用直管部６は夫々水溜部３側に向けて水勾配をとっている。また、このような埋設エアー管路１は（Ｂ）の如く、多数のＴ字管18と支管部７と蓋部材としての閉塞手段８との組合せから構成することもできる。また、図４では、埋設エアー管路１を上下方向に配置したが、それに代えて埋設エアー管路１を水平方向に配置してもよい。
【００２１】
次に、図５は本発明の第５の実施の形態を示し、この例は埋設エアー管路１の蛇行方向がＵ字管1bを介して夫々９０°づつ方向が変えられ、立体的蛇行構造をなすものである。  そして下端側に位置するＵ字管1bは、（Ｂ）の如くその中央の小孔1cとドレン管２とが連通する。このように埋設エアー管路１を立体的に蛇行させることにより、省スペースで熱交換性能の良い装置を提供できる。
【００２２】
次に、本装置の洗浄方法につき述べる。
先ず、入口カバー17およびフィルタ12を取り外して、それらを洗浄すると共に、埋設エアー管路１内に洗浄液を供給して、その洗浄液を埋設エアー管路１内に充満した状態で暫く放置する。それにより埋設エアー管路１内面の汚れやカビが剥離し、洗浄液内にそれが混入する。次にポンプ10を駆動し、埋設エアー管路１内の洗浄液をドレン管２，水溜部３，排水管４を介し外部に流出させる。それにより、埋設エアー管路１内を完全に洗浄し、次いで乾燥させることができる。
【図面の簡単な説明】
【００２３】
【図１】本発明の第１の実施形態を示す説明図。
【図２】同第２の実施形態を示す説明図。
【図３】同第３の実施形態を示す説明図。
【図４】同第４の実施形態を示す説明図。
【図５】同第５の実施形態を示す説明図。
【符号の説明】
【００２４】
１  埋設エアー管路
1a  直管
1b  Ｕ字管
1c  小孔
1d  小孔
２  ドレン管
３  水溜部
４  排水管
５  エアー供給装置
６  接続用直管部
【００２５】
７  支管部
８  閉塞手段
９  ファン
10  ポンプ
11  室内
12  フィルタ
13  エアー入口
14  エアー出口
16  地下
17  入口カバー
18  Ｔ字管
【図１】
2006112689.tif 000003
【図２】
2006112689.tif 000004
【図３】
2006112689.tif 000005
【図４】
2006112689.tif 000006
【図５】
2006112689.tif 000007